(57)【要約】  いくつかの実施例は：ロータ部と、ステータ部と、前記ステータ部と前記ロータ部を実質的に取り囲むハウジングとを有する磁力スラストベアリングを具え、前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向する装置を提供しうる。
2011520410.tif 000002
【特許請求の範囲】
【請求項１】
装置であって、
ロータ部と、
ステータ部と、
前記ステータ部と前記ロータ部を実質的に取り囲むハウジングとを具える磁力スラストベアリングを具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向しており、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記第１のスラスト電磁石と前記ロータ部のいずれかの回転要素との接触を防ぐのに適合した第１のタッチダウン面と、
前記第２のスラスト電磁石と前記ロータ部のいずれかの回転要素との接触を防ぐのに適合した第２のタッチダウン面と、
前記第１のスラスト電磁石および対向する前記第２のスラスト電磁石とを制御するのに適合した電子制御部とを具え、当該電子制御部が、延期ステータ部に含まれる電磁コイルに提供される見かけの電力を増大させるのに適合している増幅器を具えることを特徴とする装置。
【請求項２】
請求項１に記載の装置において、
前記タッチダウン面の１つに近接配置された軸センサであって、前記磁力スラスト軸受に対する前記ロータのおよその軸位置を示す信号を提供するのに適合する軸センサを具えることを特徴とする装置。
【請求項３】
請求項１に記載の装置において、
前記タッチダウン面の１つに近接配置され前記ロータ部の回転軸の周りに放射状に分配された複数の軸センサであって、それぞれ前記磁力スラスト軸受に対する前記ロータのおよその軸位置を示す信号を提供するのに適合している軸センサを具えることを特徴とする装置。
【請求項４】
請求項１に記載の装置において、さらに、
前記ハウジングに実質的に取り囲まれ、前記ロータから回転検出ギャップで隔てられるのに適合した第１の回転センサであって、前記ステータ部に対する前記ロータのおよその回転速度を検出するのに適合した第１の回転センサを具えることを特徴とする装置。
【請求項５】
請求項１に記載の装置において、
前記増幅器が、前記ステータ部に含まれる複数のスイッチタイプパルス幅変調増幅器の１つであって、各増幅器が前記ステータ部に含まれる対応する電磁コイルに提供される見かけの電力を増大するのに適合しており、前記複数の増幅器と前記複数の電磁コイルは実質的に前記ハウジング内に配置されていることを特徴とする装置。
【請求項６】
請求項１に記載の装置において、
前記電子制御部が、前記第１のスラスト電磁石と前記第２の対向するスラスト電磁石との間で前記ロータをほぼ中央に位置させるのに適合していることを特徴とする装置。
【請求項７】
請求項１に記載の装置において、
前記電子制御部が、前記第１のスラスト電磁石と前記第２の対向するスラスト電磁石へ提供される電流を提供する増幅器へのパルス幅信号入力を制御するのに適合しており、前記電流は前記第１のスラスト電磁石と前記第２の対向するスラスト電磁石との間でほぼ中央に前記ロータを位置させるネット力を発生するのに適合していることを特徴とする装置。
【請求項８】
請求項１に記載の装置において、
前記電子制御部が、受信したロータ位置信号に応じて前記ロータの位置を制御するのに適合していることを特徴とする装置。
【請求項９】
請求項１に記載の装置において、
前記電子制御部が、ネットワーク接続を介して、前記装置の外部の送信者から制御プログラミング修正を受信し、および／または、前記装置の外部の受信者に制御レポートを送信するのに適合していることを特徴とする装置。
【請求項１０】
請求項１に記載の装置において、
前記電子制御部が、イーサネット接続を介して、前記装置の外部の送信者から制御プログラミング修正を受信し、および／または、前記装置の外部の受信者に制御レポートを送信するのに適合していることを特徴とする装置。
【請求項１１】
請求項１に記載の装置において、
前記電子制御部が、前記スラスト電磁石の一方に近接配置された環状回路ボードを具えることを特徴とする装置。
【請求項１２】
請求項１に記載の装置において、
前記ステータ部に含まれる環状プロセッサ回路ボードを具え、当該プロセッサ回路ボードは、前記第１のスラスト電磁石に提供される電流を生成する増幅器へのパルス幅入力信号を決定するのに適合しており、前記電流は前記第１のスラスト電磁石の磁束レベルを制御するのに適合しているデジタル信号プロセッサを具えることを特徴とする装置。
【請求項１３】
請求項１に記載の装置において、さらに、
前記ステータ部に含まれる環状プロセッサ回路ボードを具え、当該プロセッサ回路ボードは前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石との間でほぼ中央に前記ロータを位置させるネット力を発生するのに適合しており、前記電流は前記ロータの軸位置に基づいていることを特徴とする装置。
【請求項１４】
請求項１に記載の装置において、
前記ステータ部に含まれる環状プロセッサ回路ボードを具え、当該プロセッサ回路ボードは前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石のそれぞれに望ましい磁束レベルに基づいていることを特徴とする装置。
【請求項１５】
請求項１に記載の装置において、さらに、
前記ステータ部に含まれ、前記電磁石の各々に電力を提供するのに適合している環状電力回路ボードを具えることを特徴とする装置。
【請求項１６】
請求項１に記載の装置において、
前記ステータ部に含まれる環状電力回路ボードであって、前記第１のスラスト電磁石と前記対向する第２のスラスト電磁石に電流を供給するのに適合している電力回路ボードを具えることを特徴とする装置。
【請求項１７】
請求項１に記載の装置において、さらに、
前記ステータ部に含まれ、前記第１のスラスト電磁石から熱を放出するのに適合している環状第１のヒートシンクを具えることを特徴とする装置。
【請求項１８】
請求項１に記載の装置において、さらに、
前記ステータ部に含まれ、前記第１のスラスト電磁石に電流を供給するのに適合している電力トランジスタから熱を放出するのに適合している第１の環状ヒートシンクを具えることを特徴とする装置。
【請求項１９】
請求項１に記載の装置において、さらに、
前記ステータ部に含まれる第１の環状ヒートシンクであって、前記ステータ部に含まれる複数の電力トランジスタから熱をほぼ放射状外側に放出するのに適合しており、前記電力トランジスタが前記第１のスラスト電磁石に電流を供給するのに適合している第１のヒートシンクを具えることを特徴とする装置。
【請求項２０】
請求項１に記載の装置において、
前記ハウジングに含まれ対向する一対の環状カバープレートであって、いずれか１以上が電力導管をぴったりと覆うのに適合している電力用開口を具えるカバープレートを具えることを特徴とする装置。
【請求項２１】
請求項１に記載の装置において、さらに、
前記ステータ部に含まれる環状スペーサを具え、当該環状スペーサは前記第１のスラスト電磁石と第２のスラスト電磁石間の軸方向の所定間隔を維持するのに適合しており、前記環状スペーサは前記電磁石の１以上にかかる電力用導管および／または前記電磁石の１以上にかかる通信用導管を少なくとも部分的に取り巻く軸方向の開口を規定していることを特徴とする装置。
【請求項２２】
請求項１に記載の装置において、
前記第１のタッチダウン面が前記第１のスラスト電磁石に埋め込まれていることを特徴とする装置。
【請求項２３】
請求項１に記載の装置において、
前記装置がロータを具えることを特徴とする装置。
【請求項２４】
装置であって、
ロータ部と、
ステータ部と、
前記ステータ部および前記ロータ部を実質的に取り囲むハウジングとを具える磁力スラストベアリングを具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向し、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記電磁石のそれぞれに電力を提供すべく複数の電力トランジスタにスイッチング信号を提供するのに適合している環状電力回路ボードと、
前記環状電力回路ボードに近接配置され、前記第１のスラスト電磁石と前記電力トランジスタから熱を放出するのに適合している第１の環状ヒートシンクとを具えることを特徴とする装置。
【請求項２５】
請求項２４に記載の装置において、
前記第１のスラスト電磁石と前記対向する第２のスラスト電磁石との間で前記ロータをほぼ中央に位置させるネット力を生成するのに適合している環状プロセッサ回路であって、物理的かつ電気的に前記環状電力回路ボードと隔てられている環状プロセッサ回路ボードを具えることを特徴とする装置。
【請求項２６】
請求項２４に記載の装置において、
前記第１の環状ヒートシンクに搭載された複数の電力トランジスタを具えることを特徴とする装置。
【請求項２７】
請求項２４に記載の装置において、
前記環状電力回路ボードは、前記第１の環状ヒートシンクに搭載された複数の電力トランジスタにスイッチング信号を提供するのに適合していることを特徴とする装置。
【発明の詳細な説明】
【技術分野】
【０００１】
[関連出願の相互参照]
本出願は、２００８年４月１８日に出願された継続中の米国暫定特許出願第６１／０４６，１７１号（Ａｔｔｏｒｎｅｙ  Ｄｏｃｋｅｔ  １０２４−０１７）の優先権を主張する。
【図面の簡単な説明】
【０００２】
添付の例示的な図面を参照し、以下の例示的な実施形態の詳細な説明を通して、幅広く、多様な、実用的で有用な実施形態が容易に理解される。
【図１】図１は、システム１０００の例示的な実施形態のブロック図である。
【図２】図２は、システム２０００の例示的な実施形態のブロック図である。
【図３】図３は、システム３０００の例示的な実施形態の斜視図である。
【図４】図４は、システム４０００の例示的な実施形態の斜視図である。
【図５】図５は、図３の断面Ａ−Ａで取られたシステム３０００の例示的な実施形態の断面図である。
【図６】図６は、図３の断面Ａ−Ａで取られたシステム４０００の例示的な実施形態の断面図である。
【図７】図７は、システム７０００の例示的な実施形態の分解図である。
【図８】図８は、システム８０００の例示的な実施形態のブロック図である。
【発明を実施するための形態】
【０００３】
特定の例示的な実施形態は、回転シャフトを有する機械用のコンパクトで、高パフォーマンスで、低コストの磁力スラスト軸受を提供することができる。新規な設計にも拘わらず、センサ調節、デジタル処理、および／またはパワー増幅を含むこの磁力スラスト軸受のエレクトロニクスは、そのステータ構造内にパッケージすることができる。これは磁力軸受の適用性を飛躍的に単純化し、および／または装置への磁力軸受の組み込みを単純化する。磁力軸受は、当該磁力軸受が動力停止および／または故障した場合にシャフトを指示する着地面を具える。
【０００４】
磁力軸受は、軸受に以下の１以上の条件がある応用例の回転装置の指示および／または位置決めに用いることができる：
【０００５】
機械摩耗なし
【０００６】
潤滑剤なし
【０００７】
高速回転（約３，６００乃至約１００，０００ｒｐｍ）
【０００８】
厳しい環境での運用
【０００９】
低摩擦ロス
【００１０】
図１に示すように、例示的な磁力軸受システム１０００は、装置１９００内に配置される電磁石やセンサ、および別個のエンクロージャ１２２０内に配置される電子制御部１２００で構成することができる。エンクロージャ１２２０と磁力ベアリング１７００、１８００間の配線は、それぞれ電磁石用の電流および／またはセンサへの信号を搬送し、これらはいずれもステータ１５００内に配置されている。回転シャフト１４００を横方向に支持しうるラジアル軸受１７００は、４つの電磁石１７２０と４つのセンサで構成することができる。回転シャフト１４００を縦方向（軸方向）に支持しうるスラスト軸受１８００は、２つの電磁石１８２０と２つのセンサとで構成することができる。完全５軸システムを、２つのラジアル軸受１７００と１のスラスト軸受１８００で、合計１０の電磁石と１０のセンサとで構成することができる。各電磁石には２本の配線が必要であり、各センサは、センサの種類と構成に応じて、さらに２本の配線が必要であり、合計１６本の配線１３２０、１３４０となる。図１に示すように、回転シャフト１４００を５軸に沿って配置するのに、装置１９００と電子制御部１２００との間に合計４０本の配線１２２０、１２４０が必要となる。
【００１１】
装置１９００と電子制御部１２００との距離は、各設備によって異なってもよく、数百フィート（例えば３００フィート）ほど長くてもよい。センサと増幅器のパフォーマンスは、磁石軸受１７００、１８００とデジタル制御部１２００との間のリード線の長さに依存するため、各設備において設備の明細、現場での調整、校正、および／または最適化が必要となる。特定の状況において、この現場での調整、校正および／または最適化は不便であり、および／または高価となる。
【００１２】
電力は電源１１００から増幅器１２４０（電子制御部１２００内に配置される）、分岐ボックス１３００、および／または磁力ベアリング１７００、１８００へと流れる。増幅器１２４０は、スイッチタイプの、パルス幅変調増幅器であり、非常に効率的なものであってよい。磁力軸受１７００、１８００の各コイルが低抵抗で直列の大きなインダクタとして動作するため、無効電力は高いが、磁力軸受１７００、１８００の大きな電流レベルにとっても、磁力軸受１７００、１８００に流れる実際の電力は非常に小さい。増幅器１２４０とコイル内で僅かな電力が消費されるため、電源１１００と各コイル用の増幅器１２４０間を流れる電流は、コイル内を流れる電流の僅かな部分である。通常、コイルを流れる出入は、増幅器１２４０へ流れる電流の約１０倍である。
【００１３】
増幅器とコイル間を流れる電流が、電源と増幅器間を流れる電流より非常に大きいため、増幅器および／またはコイルをできるだけ知覚して配線のコストと複雑性を低減するのが有利である。いくつかの実施例では、電子制御部は磁力軸受および／または増幅器と一体化されて、コイルの非常に近くに配置される。これが図２に示され、例示的な各磁力軸受２７００、２８００は（定電流）電力リード２３２０、２３４０の２本のみを必要とする。分岐ボックス２３００は、各ベアリング２７００、２８００の正負のリードを接続し、これが電源２１００の正負のターミナルに接続される。
【００１４】
いくつかの実施例では、電磁干渉（ＥＭＩ）を生じるリード線を不要としている。いくつかの実施例では、増幅器とコイル間のリード線は短く、および／または完全に軸受２７００、２８００の内部にあり、発生するＥＭＩの量は従来の磁力軸受のごく僅かである。
【００１５】
図３は、磁力スラスト軸受システム３０００の実施例にかかる例示的なロータ３１００とステータ３５００であり、図４は例示的なスラストロータシステム４０００を示す。ロータ３１００は、スラストディスク４３００を含み、例えば絞り嵌めによりスリーブ４２００に搭載され、これが例えば絞り嵌めにより装置の回転シャフト４１００の外径に搭載されて、シャフト４１００とともに回転する。スラストディスク４３００は、例えばＡＩＳＩ４３４０などの高強度スチール合金で製造することができる。ステータ３５００は、２つのスラスト磁石３３００を具え、これらはスラストディスク４３００の両側に配置され、および／またはスペーサ環３４００によって軸方向に離されている。１またはそれ以上の回転センサ３２６０がステータ３５００内に設けられ、ロータ３１００の回転位置、回転速度、および／または回転方向を検出する。ステータ３５００は、磁力スラスト軸受システム３０００のすべての電子素子を具えることができる。図３に示すように、ステータ３５００の一端にはカバープレート３２００があり、これが通信コネクタ３２２０および／または電源コネクタ３２４０を具えてもよい。例えば、この通信プロトコルはイーサネットであり、磁力スラスト軸受システム３０００はイーサネットネットワークの一部をなし、および／または他のデバイスに簡単に接続できてもよい。他の多くの通信プロトコルが可能であり、これにはＣＡＮ、ＭＯＤＢＵＳ、および／または他のシリアルプロトコルが含まれる。
【００１６】
例示的な磁力スラスト軸受システム５０００の潜在的な動作原理が図５に示されている。スラストディスク５５００はシャフト５１００の２つのスラスト磁石５３００の間に配置され、これらはディスク５５００に軸方向に双方向の力を生成する。コイル５２００が各スラスト磁石５３００内に配置されて示されており、スラストディスク５５００と磁石環の引力の強度を制御するのに用いることができる。各コイル５２００の周囲を取り巻くフラックス５４００の強度は、各コイル５２００内の電流に通常比例する。各スラスト磁石５３００とスラストディスク５５００間の磁力は、通常はコイル電流の二乗に比例する。スラストディスク５５００が２つのスラスト磁石５３００間の中心にない場合、一方の磁石で電流が増大し他方で減少して、スラストディスク５５００が磁石５３００間で中心になるようにスラストディスク５５００に力が働く。これらのスラスト磁石５３００は、ＡＩＳＩ１０１８などの低炭素鋼で製造することができる。
【００１７】
図６は、磁力スラスト軸受システム６０００の実施例の断面図を示す。スラストディスク６４４０の軸方向の位置は、例えば渦電流、光学、および／または容量性技術を介して検知する６つの軸センサ６６００で検出可能である。スラストディスク６４４０が２つのスラスト磁石６３００間の中心にない場合、一方の磁石で電流が増大し他方で減少して、スラストディスク６４４０が磁石６３００間で中心になるようにスラストディスク６４４０に力が働く。６つの軸センサ６６００の測定位置を平均することにより、信号対ノイズ比が向上し、測定される軸位置におけるスラストディスク６４４０の傾斜および半径方向の動きによる影響は最小化される。
【００１８】
軸センサ６６００に加えて、ステータ６９００は、シャフト６９５０の回転時に表面の段差を検出する２つの回転センサ６５００を具えてもよい。回転毎の信号を用いて６９５０の回転速度を測定し、および／またはシャフト６９５０の角度位置を提供する信号を発生する。２つのセンサ６５００を具えることにより、シャフト６９５０の回転方向を特定することができる。
【００１９】
図６はまた、集積電子素子６７００を示している。電力はカバープレート６１２０を通り、環状の電源回路６２００へと流れる。電力回路ボード６７２０は入力電圧を抽出し、これはおよそ４８ＶＤＣであり、ここから電子素子のいくつかに通常必要とされる低電圧に変換する。電力回路ボード６７２０は、電力トランジスタ６７３０のスイッチングを制御する電子素子を具えてもよく、これは電界効果トランジスタであってもよい。
【００２０】
電力トランジスタ６７３０は、電力トランジスタ６７３０の放射熱を放射方向外側に導くヒートシンク６２４０に搭載されてもよい。ヒートシンク６２４０は、熱導電性に優れたアルミから製造することができる。
【００２１】
スペーサ環６３４０は、２つのスラスト磁石６３００環の軸方向の空間を維持する。スペーサ環６３４０は、信号および／または電力をスラストディスク６４４０の両府側の回路ボード間で案内する配線用の軸方向通路を具えてもよい。フィードスルーコネクタ６３６０をスペーサ間６３４０の面上に設けて、スラスト磁力軸受システム６０００の組み立てを容易にしてもよい。フィードスルーコネクタ６３６０は、信号および／または電力を他の回路ボードに案内する環状回路ボードであるルーティングボード６７４０および／またはシールドボード６７６０のマッチングコネクタに合致する。シールドボード６７６０は、電磁干渉からプロセッサ回路ボード６７８０をシールドする。
【００２２】
プロセッサ回路ボード６７８０は、各スラスト磁石６３００からの望ましい磁束レベルを決定してロータの所望のネット出力、および／または、この磁束を得るのに必要なトランジスタスイッチング波形を決定するオンボードデジタル信号プロセッサ（ＤＳＰ）との環状回路とすることができる。望ましい磁束レベルは、潜在的に軸センサ６６００が測定するシャフト６９５０の軸位置を用いて、位置エラーで例えばＰＩＤアルゴリズムなどＤＳＰ上で動作するアルゴリズムにより決定される。
【００２３】
タッチダウンリング６４６０は、ブロンズなどの軟質合金で製造され、各スラスト磁石６３００に埋め込まれる。タッチダウンリング６４６０は、スラストディスク６４４０とスラスト磁石６３００間の接触を防止する保護面として機能する。タッチダウンリング６４６０とスラストカラー６４２０間の軸方向の僅かな隙間は、スラストディスク６４４０の両側に約０．０１０インチである。スラストディスク６４４０と各スラスト磁石６３００の間の軸方向の僅かな隙間は、約０．０２０インチ乃至０．０３０インチである。
【００２４】
図７は、磁力スラスト軸受システム７０００の実施例の構成要素の分解図を示し、これはカバープレート７１００、電力回路ボード７１５０、ルーティング回路ボード７２００、回転センサ７２５０、ヒートシンク７３００、スラスト磁石７３５０、コイル７４００、フィードスルーコネクタ７４５０、スペーサ環７５００、コイル７５５０、スラスト磁石７６００、コイルスロット７６５０、軸センサ７７００、シールド回路ボード７７５０、プロセッサ回路ボード７８００、および／または、カバープレート７８５０を具える。
【００２５】
特定の実施例は、以下を提供する：
１）スラスト磁石軸受のステータ構造内にパッケージングされ、検出、処理、および増幅を含む電子制御部
２）外部の電子制御部を必要とすることなくスラスト磁石軸受と通信する
３）スラスト磁石の両側にパッケージングしうる環状の回路ボードを有するスラスト磁石軸受
４）スラストディスクの一方の側の単一のプロセッサボードと、他の配線を必要とすることなく環状空間を通り信号と電力をルーティングすることにより両方のスラスト磁石の電流を制御するディスクの他方の側の単一の電力ボード
５）スラストディスクの一方の側のヒートシンクに搭載されスラスト磁力軸受の外に熱を放射する電力トランジスタ
６）スラスト磁石とスラストディスクを保護するために埋め込まれたタッチダウン面を有するスラスト磁力軸受、および／または
７）信号対ノイズ比を向上し、および／または、半径方向と傾斜動作のクロスカップリングを低減するための複数（例えば６）の軸センサ
【００２６】
上記列挙した少なくともいくつかのアイテム（例えばアイテム３、６、および／または７）は、遠隔の電子制御部を有するシステムで用いることができる。
【００２７】
図８は、情報デバイス８０００の実施例のブロック図であり、特定の動作例は、例えば、図１の電子制御部１２００および／または図６のプロセッサ回路ボード６２８０および／または集積電子素子６７００を具える。情報デバイス８０００は、多くの変換回路のいずれかを含んでもよく、これらは多くの通信式、電気式、磁気式、光学式、液圧式、および／または機械式に結合された物理的構成要素のいずれか、例えば１以上のネットワークインタフェース８１００、１以上のプロセッサ８２００、命令８４００を含む１以上のメモリ８３００、１以上の入出力（Ｉ／Ｏ）デバイス８５００、および／または、Ｉ／Ｏデバイス８５００等に結合された１以上のユーザインタフェース８６００を具えてもよい。
【００２８】
いくつかの実施例では、グラフィカルユーザインタフェースなどの１以上のユーザインタフェース８６００を介して、ユーザが本書記載の製品、サービス、方法、ユーザインタフェース、および／または情報のいずれかについてリサーチ、デザイン、モデリング、生成、開発、構築、製造、運用、保守、保存、マーケティング、販売、配送、選択、特定、要求、注文、受け取り、返却、評価、および／または推薦にかかる情報記載を閲覧することができる。
【００２９】
いくつかの実施例は：装置であって、
ロータ部、
ステータ部、および／または
前記ステータ部と前記ロータ部を実質的に取り囲むハウジングとを具える磁力スラストベアリングを具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向し、および／または、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記第１のスラスト電磁石と前記ロータ部のいずれかの回転要素との接触を防ぐのに適合した第１のタッチダウン面と、
前記第２のスラスト電磁石と前記ロータ部のいずれかの回転要素との接触を防ぐのに適合した第２のタッチダウン面と、
前記第１のスラスト電磁石および対向する前記第２のスラスト電磁石とを制御するのに適合した電子制御部とを具え、
前記電子制御部が、前記第１のスラスト電磁石と前記第２の対向するスラスト電磁石との間で前記ロータをほぼ中央に位置させるのに適合しており、
前記電子制御部が、前記第１のスラスト電磁石と前記第２の対向するスラスト電磁石へ提供される電流を提供する増幅器へのパルス幅信号入力を制御するのに適合しており、前記電流は前記第１のスラスト電磁石と前記第２の対向するスラスト電磁石との間でほぼ中央に前記ロータを位置させるネット力を発生するのに適合しており、
前記電子制御部が、受信したロータ位置信号に応じて前記ロータの位置を制御するのに適合しており、
前記電子制御部が、ネットワーク接続を介して、前記装置の外部の送信者から制御プログラミング修正を受信し、および／または、前記装置の外部の受信者に制御レポートを送信するのに適合しており、
前記電子制御部が、イーサネット接続を介して、前記装置の外部の送信者から制御プログラミング修正を受信し、および／または、前記装置の外部の受信者に制御レポートを送信するのに適合しており、
前記電子制御部が、前記スラスト電磁石の一方に近接配置された環状回路ボードを具え、
前記第１のタッチダウン面が前記第１のスラスト電磁石に埋め込まれており、および／または、
前記装置がロータを具えることを特徴とする。
【００３０】
いくつかの実施例において、前記装置は：
前記タッチダウン面の１つに近接配置された軸センサであって、前記磁力スラスト軸受に対する前記ロータのおよその軸位置を示す信号を提供するのに適合する軸センサと、
前記タッチダウン面の１つに近接配置され前記ロータ部の回転軸の周りに放射状に分配された複数の軸センサであって、それぞれ前記磁力スラスト軸受に対する前記ロータのおよその軸位置を示す信号を提供するのに適合している軸センサと、
前記ハウジングに実質的に取り囲まれ、前記ロータから回転検出ギャップで隔てられるのに適合した第１の回転センサであって、前記ステータ部に対する前記ロータのおよその回転速度を検出するのに適合した第１の回転センサと、
前記ステータ部に含まれる増幅器であって、前記ステータ部に含まれる電磁コイルに提供される見かけの電力を増幅するのに適合しており、前記増幅器と前記電磁コイルは実質的に前記ハウジング内に配置されている増幅器と、
前記ステータ部に含まれる複数のスイッチタイプパルス幅変調増幅器であって、それぞれ前記ステータ部に含まれる対応する電磁コイルに提供される見かけの電力を増大するのに適合しており、前記複数の増幅器と前記複数の電磁コイルは実質的に前記ハウジング内に配置されている増幅器と、
前記ステータ部に含まれる環状プロセッサ回路ボードであって、前記第１のスラスト電磁石に提供される電流を生成する増幅器へのパルス幅入力信号を決定するのに適合しており、前記電流は前記第１のスラスト電磁石の磁束レベルを制御するのに適合している環状プロセッサ回路ボードと、
前記ステータ部に含まれる環状プロセッサ回路ボードであって、前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石との間でほぼ中央に前記ロータを位置させるネット力を発生するのに適合しているプロセッサ回路ボードと、
前記ステータ部に含まれる環状プロセッサ回路ボードであって、前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石のそれぞれに望ましい磁束レベルに基づいているプロセッサ回路ボードと、
前記ステータ部に含まれ、前記電磁石の各々に電力を提供するのに適合している環状電力回路ボードと、
前記ステータ部に含まれる環状電力回路ボードであって、前記第１のスラスト電磁石と前記対向する第２のスラスト電磁石に電流を供給するのに適合している電力回路ボードと、
前記ステータ部に含まれ、前記第１のスラスト電磁石から熱を放出するのに適合している環状第１のヒートシンクと、
前記ステータ部に含まれ、前記第１のスラスト電磁石に電流を供給するのに適合している電力トランジスタから放出するのに適合している第１の環状ヒートシンクと、
前記ステータ部に含まれる第１の環状ヒートシンクであって、前記ステータ部に含まれる複数の電力トランジスタから熱をほぼ放射状外側に放出するのに適合しており、前記電力トランジスタが前記第１のスラスト電磁石に電流を供給するのに適合している第１のヒートシンクと、
前記ハウジングに含まれ対向する一対の環状カバープレートであって、いずれか１以上が電力導管をぴったりと覆うのに適合している電力用開口を具えるカバープレートと、
および／または、
前記ステータ部に含まれる環状スペーサであって、前記第１のスラスト電磁石および第２のスラスト電磁石の軸方向の所定間隔を維持するのに適合しており、前記電磁石の１以上にかかる電力用導管および／または前記電磁石の１以上にかかる通信用導管を少なくとも部分的に取り巻くのに適合している環状スペーサと、を具える。
【００３１】
いくつかの実施例は、
磁力スラストベアリングであって、
ロータ部、
ステータ部、
前記ステータ部および前記ロータ部を実質的に取り囲むハウジングと、
前記第１のスラスト電磁石と前記対向する第２のスラスト電磁石との間で前記ロータをほぼ中央に位置させるネット力を生成するのに適合している環状プロセッサ回路であって、物理的かつ電気的に前記環状電力回路ボードと隔てられている環状プロセッサ回路ボード、および／または、
前記第１の環状ヒートシンクに搭載された複数の電力トランジスタ、を具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向し、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記電磁石のそれぞれに電力を提供すべく複数の電力トランジスタにスイッチング信号を提供するのに適合している環状電力回路ボードと、
前記環状電力回路ボードに近接配置され、前記第１のスラスト電磁石と前記第２のスラスト電磁石から熱を放出するのに適合している環状ヒートシンクとを具え、
前記環状電力回路ボードは、前記第１の環状ヒートシンクに搭載された複数の電力トランジスタにスイッチング信号を提供するのに適合している。
【００３２】
以下の用語が実質的に本書に用いられる場合、添付の定義を適用する。これらの用語および定義は偏らずに提示され、本願と矛盾しておらず、本願審査中の補正を通してこれらの用語を再定義する権利、または優先権を主張する任意の出願を留保する。優先権を主張する任意の特許クレームの説明の目的で、特許における各定義は、その定義以外の対象を明白および明確に拒否するものとして機能する。
【００３３】
１つの−少なくとも１の。
活動−動作、行為、ステップ、および／または処理またはそれらの一部。
適合した−特定の使用または状況のために適用させたり、合致させたりする。
近接した−近く、近辺、隣、および／または隣接。
調整−合致するよう変更する、固定し、適合させ、順応させ、および／または、より効果的な状態にする。
増幅器−内部を通過する信号の強度を増大させる装置。
および／または−「〜とともに」又は「〜の代わりに」のいずれか。
環状−輪のような形状。
開口−口、穴、隙間、通路、および／またはスリット。
装置−特定の目的のための器具または装置。
見かけの電力−電流の平方二乗平均（ｒｍｓ）と電圧の平方二乗平均を乗算した演算値であり、一般にはボルト−アンペアの単位で測定される。
約−同一に近い。
付随する−結合、連結、および／または関すること。
少なくとも−以上であること。
取付−締結、固定、結合、および／または連結。
自動的−本質的に外部の影響または制御から独立した態様で動作または作動すること。例えば、自動ライトスイッチは、人間がライトスイッチを手動で作動させなくても、その視野に人物が「見えたら」点灯する。
軸の−軸の上、周り、またはその方向に配置されること。
軸−本体または幾何学的物質が中心に回転する、または回転すると考えられる直線、および／または構造または本体を参照する場合の中心線。
基づく−派生するもと、および／または従属するもと。
軸受−支持、案内、固定器具と動く器具間の動作摩擦を低減する装置
間−分離したインターバルおよび／または中間部。
ブール理論−論理動作用の完全システム。
できる−少なくとも１の実施例において可能である。
生じる−効果を提供すること。
中央−（名詞）何かの外側境界から実質的に等しい距離である点。（動詞）中央の点、線、および／または面に対して何かを動かし、および／または整列させること。
回路−スイッチングデバイス（例えば論理ゲート）をまたがって構築される導電経路および／または通信接続、および／または、ネットワークに含まれる２以上のスイッチングデバイスをまたがって、およびネットワークに接続されるが当該ネットワークに含まれない対応するエンドシステム間に構築される導電経路および／または通信接続、を含む物理的なシステム。
回路−ネットワークに含まれる２以上のスイッチングデバイスをまたがって、およびネットワークに接続されるが当該ネットワークに含まれない対応するエンドシステム間に構築される導電経路および／または通信接続。
回路ボード−相互接続された回路および／または素子が積層および／またはエッチングされた実質的に平坦なプラスチックおよび／またはファイバーガラスのボードであって、この回路は機械的に搭載され、および／または電気的に直接接続されたマイクロプロセッサ、メモリ、トランジスタ、コンデンサ、抵抗、ダイオード、および／または他の電子素子を含む。
境界線−実質的に円形の形、範囲、および／または物体の境界。
コイル−（名詞）導電材料の２以上の巻回を含む連続ループ。（動詞）実質的に断面スパイラル形状の構造へとい巻回および／または形成すること。
通信−情報の送信および／または交換。
要素−成分要素および／または部分
具える−含むだが、限定されない。
伝導−熱および／または電気などを搬送する媒体として動作すること。
導管−電気配線および／またはケーブルを実質的に包むチューブ、チャネル、および／またはダクト。
構成−特定の利用または状況に適合させ、あるいはフィットさせること。
接続する−互いに連結または固定すること。
接続−システム内の２以上の点の間の物理的および／または論理的なリンクおよび／またはチャネル。例えば、配線、光ファイバ、ワイヤレスリンク、および／または仮想回路等。
接触−触れること。
含む−含むだが、限定されない。
制御−（名詞）所定の限界内で装置を動作させるのに用いる機械的または電気的デバイス。（動詞）支配することおよび／または影響を与えること、所定の方法、直接、要求に従って動作させること、および／または調節すること。
制御部−１以上の所定および／またはユーザが規定したタスクを実行するための装置および／または機械読み込み可能な指示セット。１の制御部は、ハードウェア、ファームウェア、および／またはソフトウェアの１以上の組み合わせをもつ。制御部は、機械的、気圧的、液圧的、電気的、磁気的、光学的、情報的、化学的、および／または生物学的の原理、信号、および／または入力を用いてタスクを実行する。いくつかの実施例では、制御部は、情報を操作し、分析し、変更し、変換し、送信して、実行可能な処理および／または情報デバイスに利用可能にする。制御部は、中央処理装置、ローカルコントローラ、リモートコントローラ、パラレルコントローラ、および／または分散コントローラ等であってもよい。制御部は、汎用目的のマイクロコントローラ、例えばインテルコーポレーション、サンタクララ、カリフォルニアのマイクロプロセッサのペンティアムＩＶシリーズ、および／またはモトローラ、シャウンバーグ、イリノイのＨＣ０８シリーズであってよい。別の実施例では、制御部は、本書記載の実施例の少なくとも一部をハードウェアおよび／またはファームウェアで実装するよう設計されたＡＳＩＣ（Application Specific Intergrated Circuit）またはＦＰＧＡ（Field Programmable Gate Array）であってもよい。
変換−変形、適合、および／または変更
対応−関連、付随、随行、目的および／または位置において類似、すべての関連に適合、および／または量、数、度合い、質、および／または度数において等価および／または一致。
結合可能−互いに連結、接続、および／またはリンク可能であること。
カプリング−何らかの方法でリンクさせること。
カバー−保護および／または隠すために構成されたほぼ平らな物体。
生成−存在させること。
電流−電気エネルギーの流れ
データ−情報の個別ピース、通常は特別または所定の方法でフォーマットされ、および／または内容を記述するために管理され、および／または情報装置で処理するのに適切な形で表される。
データ構造−効果的にデータを演算できるデータの集合の組織および／またはデータ成分間の論理的な局部的な関係。１のデータ構造は、データ構造のプロパティを記述するメタデータを含んでもよい。データ構造の例は、アレイ、辞書、グラフ、ハッシュ、塊、リンクリスト、マトリクス、物体、キュー、リング、スタック、ツリーおよび／またベクトルを含む。
規定−意味、関係、外郭、形状、および／または構造を確立し、および／または詳細および／または個別に記述および／または特定すること。
所望の−指示、記述、および／または要求されたこと。
検出−検知、知覚、特定、発見、確認、応答し、および／または存在、現存、および／または事実を受け入れること。
特定−取得、演算、決定、推測、確立、および／または確認すること。
装置−機械、製造、および／またはそれらの集合。
デジタル−非アナログおよび／または別個のもの。
デジタル信号プロセッサ−信号に演算および／または操作を実行するのに適合したプログラム可能なデジタルマイクロプロセッサ。
ディスク−薄く、ほぼ平坦な、ほぼ円形の物体および／またはプレート
それぞれ−個別に考えられるグループのすべてのもの
電気的−電気で生成、分配、および／または動作する関連物。
電磁石−鉄芯に巻かれた絶縁ワイヤのコイルを具える装置であってワイヤに電流が流れると磁化されるもの。
電子的−デジタル処理、保存、および／または送信される。
埋め込み−周辺物に強固に固定され、ぴったりおよび／または強固に包まれ、および／または一体化すること。
見積もり−近似および／または仮の演算および／または決定。
イーサネット−ローカルエリアネットワーク（ＬＡＮ）用のフレームベースコンピュータ技術。物理層のワイヤリングまたはシグナリング、メディアアクセスコントロール（ＭＡＣ）／ＯＳＩモデルのデータリンク層のフレームフォーマットとプロトコルを規定する。
外部の−外側または外部、エクステリアに関する、存在する、および／または接続されること。
力−作業を行う能力または物理的な変化を起こすこと。
から−ソースを示すのに用いられる。
さらに−加えて
ギャップ−連続性の中断および／または物体間のスペース。
生成−生成、提供、発生、および／または出現させること。
触覚−運動感覚の動作の人間の検知および／または触感の人間の検知を含む。多くの潜在的な触覚経験が多数の感覚、感覚における体の位置の違い、感覚の時間による変化、少なくとも部分的に見えない、聞こえない、匂わない方法で、触覚の経験（触られる）、実際に触れる、把持、圧迫、摩擦、牽引、スリップ、伸ばす、押圧、トルクをかける、衝撃、穿孔、振動、移動、加速、痙攣、パルス、配向、肢位置、重力、手触り、ギャップ、凹部、粘度、痛み、かゆみ、水分、温度、熱伝導性、熱容量を含む。
有する−含むだが、限定されない。
熱−原子および／または分子の動きに関するエネルギーであり、固体または液体の媒体を通して伝導、液状媒体では対流、液体および／または空洞内では伝搬により伝達される。
ヒートシンク−接続された物体から熱エネルギーを放出するのに適合した装置、および／または、システムが生成する熱を吸収および／または消散する装置。
ハウジング−カバー、内容、保護、保持、および／または支持する何かであり、例えばフレーム、ボックス、および／またはシャーシ。
ヒューマンマシンインタフェース−ユーザおよび／またはユーザインタフェースからの情報をユーザに与え、および／または情報をユーザから受け取るのに適合したハードウェアおよび／またはソフトウェア。
含む−含むだが、限定されない。
増大−サイズ、量、数、度合い、値、強度、および／または力等が増大すること。
指示−示すのに機能する。
情報装置−データおよび／または情報を処理する様々な装置、例えば汎用および／または特定目的のコンピュータ、例えばパーソナルコンピュータ、ワークステーション、サーバ、ミニコンピュータ、メインフレーム、スーパーコンピュータ、コンピュータ端末、ラップトップ、ウェアラブルコンピュータ、および／またはパーソナルデジタルアシスタント（ＰＤＡ）、モバイル端末、ブルートゥースデバイス、通信装置、「スマート」フォン（例えばｉＰｈｏｎｅおよび／またはトレオ的装置）、メッセージング装置（例えばブラックベリー）、受信器、ページャ、ファクシミリ、携帯電話機、従来型電話機、電話的装置、プログラム可能なマイクロプロセッサまたはマイクロコントローラおよび／または周辺集積回路要素、ＡＳＩＣまたは他の集積回路、ハードウェア電子論理回路、例えば個別の要素回路、および／またはプログラム可能な論理デバイス、例えばＰＬＤ、ＰＬＡ、ＦＰＧＡ、またはＰＡＬ等を含む。通常、本書記載の方法、構造、および／またはグラフィカルユーザインタフェースの少なくとも一部を実装しうる提携装置を搭載する様々な装置を、情報装置として用いることができる。情報装置は例えば１以上のネットワークインタフェース、１以上のプロセッサ、命令を含んだ１以上のメモリ、および／または１以上の入出力（Ｉ／Ｏ）装置、Ｉ／Ｏ装置に接続された１以上のユーザインタフェースを含む。
初期化−何かを利用および／または何らかの将来のイベントに準備すること。
入力−プロセッサ、装置、および／またはシステムに提供される信号、データ、および／または情報。
入出力（Ｉ／Ｏ）装置−様々な感覚的の入力および／または出力装置であり、例えば聴覚、視覚、触覚、嗅覚、および／または味覚的な装置、例えばモニタ、ディスプレイ、プロジェクタ、オーバーヘッドディスプレイ、キーボード、キーパッド、マウス、トラックボール、ジョイスティック、ゲームパッド、ホイール、タッチパッド、タッチパネル、ポインティングデバイス、マイク、スピーカ、ビデオカメラ、カメラ、スキャナ、プリンタ、触覚装置、バイブレータ、触覚シミュレータ、および／または触覚パッドを含み、潜在的にＩ／Ｏ装置が取り付けあるいは接続されるポートを具える。
インストール−位置決めあるいは接続して使用準備すること。
命令−ファームウェアおよび／またはソフトウェアとして実装される指示であり、この指示は特定の動作または機能を実行するよう適合している。
配置−特定のスポットおよび／または位置に配備されること。
論理ゲート−１以上の論理入力に論理動作を実行し１の論理出力を生成するのに適合しており、これは物理的に現れる。この出力はまた論理レベルの値であるため、１の論理ゲートの出力は他の１またはそれ以上の論理ゲートの入力となり得、このような組み合わせにより、複雑な動作が実現される。一般に実行される論理はブール論理であり、デジタル回路に最もよく見受けられる。最も共通の論理ゲートの実装は抵抗、トランジスタ、および／またはダイオードを用いた電子素子に基づくものであり、このような実装はしばしば大きなアレイで集積回路の形で見られる（ＩＣ、マイクロ回路、マイクロチップ、シリコンチップ、および／またはチップとしても知られる）。しかし、真空管、電磁石（例えばリレー）、機械（例えばギア）、流体工学、光学、化学反応、および／または分子スケールを含むＤＮＡに基づき動作する論理ゲートを生成することも可能である。電子的に実装される論理ゲートは通常２つの入力と１つの出力を有し、それぞれ通常物理的に電圧で表出する論理レベルまたは状態を有する。所定の瞬間に、すべてのターミナルが２のバイナリ論理状態（「偽」（「低」または「０」とも知られる）、または「正」（「高」または「１」とも知られる））のうちの１つをとり、これが異なる電圧レベルで表され、このターミナルの論理状態は、通常、回路がデータ処理を行うたびに変更される。したがって、各電子論理ゲートは通常電力を必要とし、これにより正しい出力電圧を得るための電流を引き出し、および／または送る。通常、機械的に実装される命令は、終局的に「０」または「１」のバイナリ値にエンコードされ、通常は「抵抗」などのメモリ装置に書き込まれ、これがバイナリ値をメモリ装置の物理プロパティの変化として記録し、これには例えば電圧、電流、充電、位相、圧力、重量、高さ、張力、レベル、ギャップ、位置、速度、運動量、力、温度、極性、次回、磁力、磁性、反射力、分子結合、分子量等が含まれる。例示的なレジスタは、合計８「ビット」を符号化する値「０１１０１１００」を格納することができ、ここで「０」または「１」の各値は「ビット」（８ビットはまとめて「バイト」）と呼ばれる。１のバイナリビットは１または２の異なる値（「０」か「１」のいずれか）しかとることができないため、２つの飽和状態間をスイッチングするいずれの物理媒体をビットを表すのに用いることができる。このため、バイナリビットを示す様々な物理システムが、数量を表したり、これらの数を特定の装置実装可能な符号化命令を介して潜在的に乗算することができる。これはデジタル演算の根幹となる基本原理の一つである。レジスタおよび／またはゲートレベルでは、コンピュータはこれらの「０」や「１」を数と扱わず、典型的には電圧レベルとして扱い（電子的に実装されたコンピュータの場合）、例えば約＋３ボルトは「１」または「論理的に正」として、約０ボルトは「０」または「論理的に偽」を表すものとする（または回路設計により逆も真なり）。これらの高低ボルト（または実装の性質によっては他の物理特性）は通常一連の論理ゲートに供給され、ここで正しい論理設計を通して，特定の装置実装可能な符号化命令により物理的かつ論理的な結果が導出される。例えば、エンコーディングが計算を要求する場合、論理ゲートはエンコーディングの最初の２つのビットを加え、結果として「１」を生成し（「０」＋「１」＝「１」）、この結果を移行の呼び出しや読み出しのために別のレジスタに書き込む。あるいは、エンコーディングが何らかのサービスを要求する場合、論理ゲートはさらに他のレジスタにアクセスまたは書き込み、これがさらに他の論理ゲートをトリガして、要求されたサービスを開始しようとする。
論理的な−概念上の標示
機械−１以上のタスクを実行するよう適合した装置および／または車両
装置実装可能な命令−情報装置などの装置に、１またはそれ以上の特定の活動、動作、および／または機能を実行させるのに適合した指示。これらの指示は、「プロセッサ」、「カーネル」、「オペレーティングシステム」、「プログラム」、「アプリケーション」、「ユーティリティ」、「サブルーチン」、「スクリプト」、「マクロ」、「ファイル」、「プロジェクト」、「モジュール」、「ライブラリ」、「クラス」、および／または、「オブジェクト」等と呼ばれる存在を形成し、ハードウェア、ファームウェア、および／またはソフトウェアにおいて、マシンコード、ソースコード、オブジェクトコード、コンパイルコード、アセンブリコード、インタープリタブルコード、および／または実行可能コード等として具体化および／または符号化される。
機械可読媒体−情報装置、コンピュータ、マイクロプロセッサ、および／またはコントローラなどの機械から、機械が実施可能なインストラクション、データ、および／または情報を記憶および／または得ることができる物理的な構造。例は、パンチカードなどの記憶装置を含む。
磁性−鉄および取り囲む場の力で鉄および特定の他の材料を吸着する性質を有する。
磁束レベル−磁性の量の測定、磁界の特定領域を通る力の磁力線の総数である。また、単位面積あたりの磁束密度、ウェーバーであるＳＩ単位としても知られている。
現状に維持−保持、保存、持続すること、および／または継続して得ること。
してもよい−少なくともいくつかの実施形態において、許可されるおよび／または許容される。
記憶装置−時に、不変に、機械が読み取り可能なインストラクション、データ、および／または情報を、アナログおよび／またはデジタル形式に記憶することができる装置。例は、少なくとも１の不揮発性メモリ、揮発性メモリ、レジスタ、リレイ、スイッチ、ランダムアクセスメモリ、ＲＡＭ、読み出し専用メモリ、ＲＯＭ、フラッシュメモリ、磁気媒体、ハードディスク、フロッピーディスク、磁気テープ、光学媒体、光学ディスク、コンパクトディスク、ＣＤ、デジタル汎用ディスク、ＤＶＤ、および／またはレイドアレイなどを含む。記憶装置は、プロセッサに連結することができ、および／または本書に記載される実施例のようなプロセッサによって実行されるよう適合したインストラクションを記憶および提供することができる。
方法−異なる状態または物に変形させる、対象に実施される、および／または特定の装置に関連する１またはそれ以上の行為であって、１またはそれ以上の行為は原理ではなく、原理のすべての利用にとって代わるものでもない。
搭載−（名詞）物が取り付けられる際。（動詞）何かの上におよび／または何かに連結され、固定され、および／または取り付けられる。
ネット−全体の、結果、および／または平均。
ネットワーク−複数のノード、通信装置、および／または情報装置に通信的に連結されること。ノードおよび／または装置がリンクされるようなネットワークを介して、ケーブル、電話線、電力線、光ファイバ、電波、および／または光ビームなど様々なワイヤラインおよび／またはワイヤレス媒体を介して（プリンタおよび／または記憶装置のような）供給源、交換ファイル、および／またはその間の電子的な伝達などをシェアするために。ネットワークは、回線交換、公衆電話回路網、パケット交換、幅広い種類のサブネットワークおよび／またはプロトコル、非コネクション型、ワイヤレス、バーチャル、ラジオ、データ、電話、ツイストペア、ＰＯＴＳ、非ＰＯＴＳ、ＤＳＬ、セルラ、テレコミュニケーション、ビデオ配信、ケーブル、地上局によって行なわれる、マイクロウェーブ、ブロードキャスト、サテライト、ブロードバンド、コーポレート、世界的な、全国的な、地域的な、広い地域の、バックボーン、パケット交換のＴＣＰ／ＩＰ、ＩＥＥＥ８０２．０３，イーサネット、ファストイーサネット、トークンリング、ローカルエリア、ワイドエリア、ＩＰ、パブリックインターネット、インターネット、プライベート、ＡＴＭ、ウルトラワイドバンド（ＵＷＢ）、Ｗｉ−Ｆｉ、ＢｌｕｅＴｏｏｔｈ、エアポート、ＩＥＥＥ８０２．１１、ＩＥＥＥ８０２．１１ａ、ＩＥＥＥ８０２．１１ｂ、ＩＥＥＥ８０２．１１ｇ、Ｘ−１０、電力、マルチドメイン、および／またはマルチゾーンサブネットワークおよび／またはプロトコル、スイッチ、ルータ、および／またはローカルネットワークと直接接続しないゲートウェイなど、および／またはその任意の対価物といった１またはそれ以上の情報装置。
ネットワークインタフェイス−任意の物理的および／または論理装置、システム、および／またはネットワークに情報装置を連結することができるプロセス。例示的なネットワークインタフェイスは電話、携帯電話、セルラーモデム、電話データモデム、ファックスモデム、ワイヤレストランシーバ、情報端末塔、イーサネットカード、ケーブルモデム、デジタルサブスクライバラインインタフェイス、ブリッジ、ハブ、ルータ、または他の同様の装置、このような装置を管理するソフトウェア、および／またはこのような装置の機能を提供するソフトウェア。
対抗する−反対の、対する；２つの他の補足的、または互いに排他的なもの；および／または反対に置かれた、または配置された、対照的に、釣り合わせて、および／または他のものおよび／または互いから横切って。
外側に−外側および／または外周に向かって。
パケット−デジタルパケットスイッチングネットワークといったネットワーク内および／またはネットワークをわたり伝達するための特定の方法で組織化されたデータの束のための一般用語であり、伝達されるデータと宛先アドレスといった特定の制御情報を含む。
対−２つのもの
複数−度合いであるが、完全に必要ではない。
知覚−人間の感覚によって知覚できるもの。
物理的−触知できる、現実の、および／または実際の。
物理的に−存在し、偶然に発生し、発生し、活動し、および／または触知できる、現実の、および／または実際の方法で操作すること。
物理的に離れた−空間的に離れた。
プレート−平らな硬い物体。
複数の−複数および／または１以上の状態。
部分−一部、成分、部分、パーセンテージ、割合、および／またはより大きな部分より小量。視覚的に、物理的に、および／または視覚的に識別可能および／または識別不可能でありうる。
位置−（名詞）しばしば参照点に関する位置−位置および／またはロケーション。（動詞）配置および／または位置させること。
力−エネルギ、エネルギおよび／または仕事の測定、および／または仕事がなされる率、単位時間あたりの仕事の量、ワットや馬力といった単位で表され、一般的に測られる。
所定の−前もって設定された。
防止する−妨げる、邪魔をする、止める、および／または起こらないようにすること。
確率−発生の見込みの量的表現。
プロセッサ−複数の論理ゲートで動作するブール理論を介し、実行が物理的に適合可能なハードウェア、ファームウェア、および／または装置および／または仮想装置であり、一連の装置実行可能命令により特定のタスクが規定される。プロセッサは、気書いてしき、気圧式、液圧式、電気式、磁力式、光学式、情報、化学式、および／または、生化学的な原理、機構、調整、信号、入力、および／または出力を用い、タスクを実行する。いくつかの実施例では、プロセッサは情報を操作し、分析し、変更し、および／または変換して、この情報を装置実行可能命令および／または情報装置の用に供するため送信し、および／または、この情報を出力装置に転送する。プロセッサは、中央処理装置、ローカルオンとローラ、リモートコントローラ、パラレルコントローラ、および／または分散コントローラ等であってもよい。他に特定しない限り、プロセッサは汎用目的の装置であり、例えばマイクロコントローラおよび／またはマイクロプロセッサ、例えばインテルコーポレーション、サンタクララ、カリフォルニアのマイクロプロセッサのペンティアムファミリである。いくつかの実施例では、プロセッサは特定用途の装置であり、本書記載の実施例の少なくとも一部をハードウェアおよび／またはファームウェアで実装するよう設計されたＡＳＩＣ（Application Specific Intergrated Circuit）またはＦＰＧＡ（Field Programmable Gate Array）である。プロセッサは、制御部に配置されその機能を利用してもよい。
導出−物理的な労力により生成、製造、および／または作成すること
プロジェクト−演算、見積もり、予測
提供−実現し、供給し、与え、運び、送り、および／または、利用可能にすること
パルス−（電流や電圧などの）量の瞬間的な値であり、この値は他のときには一定である。たまに規則的な周期および／または何らかのコードに応じて反復される。
パルス幅変調−パルス幅変更による符号化
放射状−半径方向に沿った移動および／または方向付け
放射状に分散−円周上に等間隔で配置されること
受け取る−採取、取得、捕捉、獲得、受領、入手、および／または拝領すること
推奨−提案、賞賛、推賞、および／または保証すること
与える−例えば物理的、科学的、生物学的、電気的、電子的、磁力的、工学的、音響的、液体的、および／または機械的等に、例えばビジュアル、オーディオ、および／または触覚等の装置を介して、例えばデータ、命令、テキスト、グラフィック、オーディオ、ビデオ、アニメーション、および／またはハイパーリンク等の人間が認知可能な形式に情報を変換し、および／または例えばディスプレイ、モニタ、電子ペーパー、視覚上のインプラント、移植蝸牛刺激装置、スピーカ、バイブレータ、振動装置、力フィードバック装置、スタイラス、ジョイスティック、ステアリングホイール、グローブ、ブロワ、ヒータ、クーラー、ピンアレイ、触覚タッチスクリーン等を介して描写すること。
反復的−何度も何度も、繰り返して
報告−所定形式での情報のプレゼンテーション
要求−願望の表明および／または依頼
回転する−軸周りに回転すること
回転（rotation）−中心あるいは軸周りに回る動作またはプロセス
回転（rotational）−軸の周りおよび／または周囲
回転速度−中心または軸周りに回転する物体の速度。回転速度は、所定期間における回転数の語で表される。
ロータ−装置の回転部分
前記−システムまたは装置クレームで用いる場合、前に紹介した物品を以降にクレームする用語にいうもの。
選択−代替物間で選び選択すること
送信元−送信のソース
センサ−自動的に物理特性（例えば圧力、温度、流れ、量、熱、光、音、湿度、接近、位置、速度、振動、音の大きさ、電圧、電流、容量、抵抗、インダクタンス、磁束、および／または電磁放射等）を検知、関知、検出、および／または測定し、この物理量を信号に変換するのに適合した装置。例としては、位置センサ、接近スイッチ、ステインゲージ、フォトセンサ、サーモカプラ、レベル指示装置、速度センサ、加速度計、電圧指示器、電流指示器、オン／オフ指示器、および／またはフローメータ等がある。
分離−接触せず、および／または何かによって隔てられていること。
サーバ−ネットワークに通信接続されるのに適合し、例えばネットワークに接続された１以上の他の情報装置および／またはネットワークに接続された別の情報装置で動作する１以上のプロセスなどの、１以上のクライアントに１以上のサービスを提供するのに適合した情報装置および／またはそこで動作するプロセス。一例はファイルサーバであり、ローカルドライブを備えリモートのクライアントからドライブ上のファイルの読み書きおよび／または管理の要求を処理する。別の例は電子メールサーバであり、電子メールメッセージを受信し、一時的に保存し、中継し、および／または分配する。さらに別の例はデータベースサーバであり、データベースクエリを処理する。さらに別の例はデバイスサーバであり、ネットワークおよび／またはプログラム可能に、情報装置、プリンタ、モデム、スキャナ、プロジェクタ、ディスプレイ、光、カメラ、セキュリティ機器、接近感知器、カードリーダ、キオスク、ＰＯＳ販売機器、電話システム、住宅機器、ＨＶＡＣ機器、医療機器、洗面機器、産業機器、加工ツール、ポンプ、ファン、モータドライブ、スケール、プログラマブル物理コントローラ、センサ、データコレクタ、アクチュエータ、アラーム、報知器、および／または入出力装置等の物理リソースおよび／またはデバイスのアクセス、および／またはモニタリング、管理、および／または制御、共有を行う。
セット−関連した複数の。
シールド−（名詞）保護装置または構造。（動詞）例えば電磁放射および／または磁束からカバーし、隠し、および／または保護すること。
側−固体の境界面
信号−例えば気体、油圧、音響、液体、機械、電気、磁気、光学、化学、および／または生態学上の変数、例えば力、エネルギ、圧力、流量、粘度、密度、トルク、衝撃、力、周波数、移送、電圧、電流、抵抗、起磁力、磁界強度、磁界磁束、磁束密度、磁気抵抗、浸透度、反射指数、光学波長、極性、反射率、透過率、位相シフト、集中、および／または温度等であり、例えば動作用の装置実行可能命令のように情報を符号化し、および／または１以上の予め意味をなす記号、文字、キャラクタ、シンボル、信号フラッグ、ビジュアルディスプレイ、および／または特別のサウンド等である。文脈によっては、信号および／またはそこに符号化された情報は、同期的、非同期的、ハードリアルタイム、ソフトリアルタイム、非リアルタイム、連続生成、連続変化、アナログ、個別生成、個別変化、定量化、デジタル、包装、マルチキャスト、ユニキャスト、送信、搬送、受信、連続測定、個別測定、処理、符号化、暗号化、複合化、変調、伝搬、収束、復調、非複合化、解読、および／または復号等であってもよい。
ぴったり（snugly）−閉塞的に合致および／または固定
スペーサ−ギャップを規定および／または満たす物体
間隔−分離
特定目的のコンピュータ−複数の論理ゲートを有するプロセッサ装置を備えるコンピュータおよび／または情報装置であって、これらの論理ゲートの少なくとも一部が、特別な装置実行可能名理恵をプロセッサが実行することにより、１以上の物理的かつ測定可能な特性、例えば電圧、電流、充電、位相、圧力、重量、高さ、張力、レベル、ギャップ、位置、速度、運動量、力、温度、極性、磁界、磁力、磁力の向き、反射率、分子結合度、分子量等を変更し、これにより特定の装置実行可能命令を論理ゲートの特定の構成および特性に直接結びつける。電子計算機の説明において、論理ゲートのこのような変更は特定の電気回路を生成し、これにより特定の装置実行可能命令を特定の電気回路と直接結びつける。
特定目的のプロセッサ−複数の論理ゲートを有するプロセッサ装置であって、これらの論理ゲートの少なくとも一部が、特別な装置実行可能名理恵をプロセッサが実行することにより、１以上の物理的かつ測定可能な特性、例えば電圧、電流、充電、位相、圧力、重量、高さ、張力、レベル、ギャップ、位置、速度、運動量、力、温度、極性、磁界、磁力、磁力の向き、反射率、分子結合度、分子量等を変更し、これにより特定の装置実行可能命令を論理ゲートの特定の構成および特性に直接結びつける。電子計算機の説明において、論理ゲートのこのような変更は特定の電気回路を生成し、これにより特定の装置実行可能命令を特定の電気回路と直接結びつける。
速度−線形、曲線、および／または角度の速度および／または線形、曲線、および／または角度において所定期間で移動した距離。
ステータ−別の部分（ロータ）が周りを回転する動かない部分。
保存−データを配置、保持、および／または保有するが、範囲および／または程度の全部および／または全体でなくてもよい。
実質的−相当な、大きな、および／または巨大であるが、全部および／または全体の大きさおよび／または度合いである必要はない。
供給−利用可能にすること
面−物体の外側境界、あるいはこの境界を構成または類似の材料層。
取り囲む−一周する、および／またはいくつかおよび／または全部の側を閉じ込めること。
スイッチ−（名刺）回路を開き、および／または閉じる機械的、電気的、および／または電子的装置であって、電気路を完成させ、および／または破壊し、および／またはパスおよび／または回路および／またはおよび／またはネットワークの異なる通信路セグメント間（またはネットワーク間）で接続を確立するデバイスを選択すること。(動詞)電気的に活性化または非活性化させること。
システム−機構、装置、機械、製造物、プロセス、データ、および／またはインストラクション、１またはそれ以上の特定の機能を実行するのに設計された集合。
スラスト軸受−スラストまたはシャフト上に縦軸方向に向けられた力を受けるよう構成された軸受。
タッチダウン−ロータとステータ間の接触に関すること。
変換−測定可能な、形状、外観、特性、および／または特徴を変更すること。
トランジスタ−電流または電圧を調節する装置であり、電子信号にかかるスイッチまたはゲートとして動作する。
送信−１の場所からおよび／または別の場所へと信号として提供、付与、供給、および／または搬送（例えば、力、エネルギ、および／または情報）。
タイプ−他のグループまたはクラスから区別するための共通の特徴を有する多々の物。
ユーザインタフェース−ユーザに情報を与え、および／またはユーザから情報を求める様々なデバイス。ユーザインタフェースは、テキスト、グラフィック、音声、映像、アニメーション、および／または触覚要素のいずれかを含む。テキスト要素は、例えば、プリンタ、モニタ、ディスプレイ、プロジェクタ等で提供される。グラフィック要素は、例えば、モニタ、ディスプレイ、プロジェクタ、および／または映像表示装置、例えば光り、フラグ、ビーコン等で提供される
音声要素は、例えば、スピーカ、マイク、および／または他の音声生成および／または受信装置で提供される。映像要素またはアニメーション要素は、例えば、モニタ、ディスプレイ、プロジェクタ、および／または他の四角装置で提供される。触覚要素は、例えば、非常に低い周波数のスピーカ、バイブレータ、触覚シミュレータ、触覚パッド、シミュレータ、キーボード、キーパッド、マウス、トラックボール、ジョイスティック、ゲームパッド、ホイール、タッチパッド、タッチパネル、ポインティングデバイス、および／または他の触覚デバイス等で提供される。ユーザインタフェースは、１以上のテキスト要素、例えば、１位所の文字、数字、記号等を含んでもよい。ユーザインタフェースは、１以上のグラフィック要素、例えば画像、写真、絵、アイコン、ウィンドウ、タイトルバー、パネル、シート、タブ、引き出し、マトリクス、テーブル、フォーム、カレンダー、概略ビュー、フレーム、ダイアログボックス、静的テキスト、テキストボックス、リスト、ピックリスト、ポップアップリスト、プルダウンリスト、メニュー、ツールバー、ドック、チェックボックス、ラジオボタン、ハイパーリンク、ブラウザ、ボタン、コントロール、パレット、プレビューパネル、カラーホイール、ダイアル、スライダ、スクロールバー、カーソル、ステータスバー、ステッパ、および／またはプログレスインジケータ等を含んでもよい。テキストおよび／またはグラフィック要素は、外観、背景色、背景スタイル、境界スタイル、境界の厚さ、手前のカラー、フォント、フォントスタイル、フォントサイズ、整列、行間、インデント、最大データ長、友好度、クエリ、カーソルタイプ、ポインタタイプ、承認、配置、および／または面積等を選択、プログラミング、調整、変更、特定等するのに用いることができる。ユーザインタフェースは、例えば、ボリュームコントロール、ピッチコントロール、スピードコントロール、ボイスセレクタ、および／またはオーディオプレイ、スピード、ポーズ、早送り、巻き戻し等を制御する１以上の要素といったオーディオ要素を１以上具えてもよい。ユーザインタフェースは，例えば、ビデオ再生、スピード、ポーズ、早送り、巻き戻し、ズームイン、ズームアウト、回転、および／または傾斜等を制御する１以上の要素を備えてもよい。ユーザインタフェースは、例えば、アニメーションプレイ、ポーズ、早送り、巻き戻し、ズームイン、ズームアウト、回転、傾斜、カラー、強度、スピード、周波数、外観等を制御する要素を具えてもよい。ユーザインタフェースは、例えば、触覚刺激、力、圧力、振動、動き、転置、温度等の１以上の触覚要素を具えてもよい。
介して−用いておよび／または利用して。
電圧−（または「電位差」や「起電力」（ＥＭＦ）とも知られる）電気回路における２つの導電子間の電位差および／またはボルト（Ｖ）の記号で表される量であって、オームの法則によると、電気回路においてオームの抵抗で隔てられた２点間を測定するとこれらの点間を流れる電流がアンペアとなる。
ウェイト−重要性の表示価値。
ここで（wherein）−関して、および／またはさらに、
関して−対して
内部−内側
【００３４】
[注釈]
クレームされた対象を実施するために発明者に周知の、もしあれば、最良の形態を含む、様々な実質的および具体的に、実用的および有用なクレームされた対象の例示的な実施形態が、原文のままおよび／または図表で本書に記載されている。本書に記載された１またはそれ以上の実施形態のバリエーション（例えば、変更および／または強化など）は、本書を読むことで当業者には明らかになるであろう。発明者は当業者が必要に応じてこのようなバリエーションを用いることを期待し、クレームされた対象が、本書に具体的に記載される以外に実施されることを意図する。従って、法律によって許可されるように、クレームされた対象はクレームされた対象のすべての等価物およびすべての改良を含んでカバーする。さらに、本書に明確に記載されない限り、明確および具体的に権利を放棄しない限り、あるいは内容によって明確に矛盾しない限り、上述の要素、行為、およびそのすべての可能なバリエーションの組み合わせがクレームされた対象に包含される。
【００３５】
いずれかおよびすべての例の使用、あるいは本書に提供された（例えば「〜のような」など）の例示的な言葉は、単に１またはそれ以上の実施形態をよりよく解釈することを意図するにすぎず、記載されない限り、任意のクレームされた対象の範囲の限定を主張しない。明細書において、クレームされた対象の実施に必須のものとして、任意のクレームされない対象を示すものとして構成されるべき言葉はない。
【００３６】
このように、本書（例えば、タイトル、技術分野、背景技術、課題を解決するための手段、発明の開示、要約、図面など）の任意の部分の内容にかかわらず、これとは反対に、明確に特定されない限り、明確な規定、断定、または議論を通じて、または内容によって明らかに矛盾した、任意のクレームに関して、本願のクレームに関わらず、および／または優先権を主張する任意の出願の任意のクレームに関わらず、および初めに提出されたかどうかに関わらず：
任意の特定の記載されたまたは例示された特徴、機能、動作、または要素、動作の任意の特定の連続、または要素の任意の特定の相互関係を包含する必要はない；
特徴、機能、動作、または要素が「必須」であるものはない。
任意の要素が統合、分離、および／または重複されうる。
任意の動作が繰り返され、任意の動作が複数の構成要素によって実施することができ、および／または任意の動作が複数の権限で実施することができ；および
任意の動作または要素が特別に排除され、動作の連続が変更可能であり、および／または要素の相互関係が変更可能である。
【００３７】
本書に示されない限り、あるいは内容によって明らかに矛盾しない限り、用語「ａ」、「ａｎ」、「ｓａｉｄ」、「ｔｈｅ」の使用、および／または記載している様々な実施形態の内容において（とりわけ以下のクレームの内容において）同様の参照対象が、単数と複数の双方をカバーするよう構成されている。用語「comprising」、「having」、「including」および「containing」は注釈されない限り、オープンエンドターム（すなわち「includingだが、それに限定されないもの」を意味する）として構成される。
【００３８】
さらに、任意の数または範囲が本書に記載される場合、明確に記載されない限り、数または範囲は概算である。本書における値の範囲の引用は、本書に指示されない限り、その範囲内におさまる各々別個の値を個々に参照する即時伝達の方法として提供することを意図するのみであり、各々別個の値とこのような別個の値によって定義された各々別個の部分領域は、あたかも本書に記載されたかのように明細書に組み込まれる。例えば、もし１乃至１０の範囲が記載されるならば、この範囲は、例えば、１．１、２．５、３．３３５、５、６．１７９、８．９９９９などすべての値をその間に含み、例えば１乃至３．６５、２．８乃至８．１４、１．９３乃至９などすべてのサブ範囲をその間に含む。
【００３９】
任意のクレーム要素が図面の要素番号に伴われる場合、図面の要素番号は例示的であり、クレームの範囲を限定しない。本願のクレームは、正確なフレーズ「のための方法」が動名詞に伴われない限り、３５ＵＳＣ１１２の６段落を呼び起こすことを意図する。
【００４０】
（例えば、米国特許、米国特許出願、本、条項など）任意の材料における任意の情報は、本書を参照することにより組み込まれており、このような情報と他の記述および図面の間に矛盾がないことが示されるまで、参照により組み込まれるのみである。このような矛盾の事象において、矛盾は本書の任意のクレームを無効にするか、あるいはここに優先権を探し、このような材料における任意のこのような矛盾する情報は、本書を参照することにより特別に組み込まれる。
【００４１】
したがって、（たとえば、タイトル、技術分野、背景技術、課題を解決するための手段、発明の開示、要約、図面など）の本願の各部は、クレーム自体以外、本質的に例示的なものとみなされ、および限定的なものとみなされず、および本願に基づいて発行される任意の特許によって保護される対象の範囲が、その特許クレームによってのみ定義される。
【図１】
2011520410.tif 000003
【図２】
2011520410.tif 000004
【図３】
2011520410.tif 000005
【図４】
2011520410.tif 000006
【図５】
2011520410.tif 000007
【図６】
2011520410.tif 000008
【図７】
2011520410.tif 000009
【図８】
2011520410.tif 000010
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
装置であって、
ロータ部と、
ステータ部と、
前記ステータ部と前記ロータ部を実質的に取り囲むハウジングとを具える磁力スラストベアリングを具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向しており、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記第１のスラスト電磁石と前記ロータ部のいずれかの回転要素との接触を防ぐのに適合した第１のタッチダウン面と、
前記第２のスラスト電磁石と前記ロータ部のいずれかの回転要素との接触を防ぐのに適合した第２のタッチダウン面と、
前記第１のスラスト電磁石および対向する前記第２のスラスト電磁石とを制御するのに適合した電子制御部であって、延期ステータ部に含まれる電磁コイルに提供される見かけの電力を増大させるのに適合している増幅器を具える電子制御部と、
環状電力回路ボードに近接配置された第１の環状ヒートシンクであって、当該環状ヒートシンクに搭載された複数の電力トランジスタからほぼ放射状外側に熱を放出するのに適合している第１の環状ヒートシンクとを具えることを特徴とする装置。
【請求項２】
請求項１に記載の装置において、
前記タッチダウン面の１つに近接配置された軸センサであって、前記磁力スラスト軸受に対する前記ロータのおよその軸位置を示す信号を提供するのに適合する軸センサを具えることを特徴とする装置。
【請求項３】
請求項１に記載の装置において、
前記タッチダウン面の１つに近接配置され前記ロータ部の回転軸の周りに放射状に分配された複数の軸センサであって、それぞれ前記磁力スラスト軸受に対する前記ロータのおよその軸位置を示す信号を提供するのに適合している軸センサを具えることを特徴とする装置。
【請求項４】
請求項１に記載の装置において、さらに、
前記ハウジングに実質的に取り囲まれ、前記ロータから回転検出ギャップで隔てられるのに適合した第１の回転センサであって、前記ステータ部に対する前記ロータのおよその回転速度を検出するのに適合した第１の回転センサを具えることを特徴とする装置。
【請求項５】
請求項１に記載の装置において、
前記増幅器が、前記ステータ部に含まれる複数のスイッチタイプパルス幅変調増幅器の１つであって、各増幅器が前記ステータ部に含まれる対応する電磁コイルに提供される見かけの電力を増大するのに適合しており、前記複数の増幅器と前記複数の電磁コイルは実質的に前記ハウジング内に配置されていることを特徴とする装置。
【請求項６】
請求項１に記載の装置において、
前記電子制御部が、前記第１のスラスト電磁石と前記第２の対向するスラスト電磁石との間で前記ロータをほぼ中央に位置させるのに適合していることを特徴とする装置。
【請求項７】
請求項１に記載の装置において、
前記電子制御部が、前記第１のスラスト電磁石と前記第２の対向するスラスト電磁石へ提供される電流を提供する増幅器へのパルス幅信号入力を制御するのに適合しており、前記電流は前記第１のスラスト電磁石と前記第２の対向するスラスト電磁石との間でほぼ中央に前記ロータを位置させるネット力を発生するのに適合していることを特徴とする装置。
【請求項８】
請求項１に記載の装置において、
前記電子制御部が、受信したロータ位置信号に応じて前記ロータの位置を制御するのに適合していることを特徴とする装置。
【請求項９】
請求項１に記載の装置において、
前記電子制御部が、ネットワーク接続を介して、前記装置の外部の送信者から制御プログラミング修正を受信し、および／または、前記装置の外部の受信者に制御レポートを送信するのに適合していることを特徴とする装置。
【請求項１０】
請求項１に記載の装置において、
前記電子制御部が、イーサネット接続を介して、前記装置の外部の送信者から制御プログラミング修正を受信し、および／または、前記装置の外部の受信者に制御レポートを送信するのに適合していることを特徴とする装置。
【請求項１１】
請求項１に記載の装置において、
前記電子制御部が、前記スラスト電磁石の一方に近接配置された環状回路ボードを具えることを特徴とする装置。
【請求項１２】
請求項１に記載の装置において、
前記ステータ部に含まれる環状プロセッサ回路ボードを具え、当該プロセッサ回路ボードは、前記第１のスラスト電磁石に提供される電流を生成する増幅器へのパルス幅入力信号を決定するのに適合しており、前記電流は前記第１のスラスト電磁石の磁束レベルを制御するのに適合しているデジタル信号プロセッサを具えることを特徴とする装置。
【請求項１３】
請求項１に記載の装置において、さらに、
前記ステータ部に含まれる環状プロセッサ回路ボードを具え、当該プロセッサ回路ボードは前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石との間でほぼ中央に前記ロータを位置させるネット力を発生するのに適合しており、前記電流は前記ロータの軸位置に基づいていることを特徴とする装置。
【請求項１４】
請求項１に記載の装置において、
前記ステータ部に含まれる環状プロセッサ回路ボードを具え、当該プロセッサ回路ボードは前記第１のスラスト電磁石と前記対向する第２のスラスト電磁石に提供される電流を供給する増幅器へのパルス幅入力信号を決定するのに適合するデジタル信号プロセッサを具え、前記電流は前記第１のスラスト電磁石と前記対向する第２のスラスト電磁石のそれぞれに望ましい磁束レベルに基づいていることを特徴とする装置。
【請求項１５】
請求項１に記載の装置において、
前記電力回路ボードが、前記ステータ部に含まれ、前記電磁石の各々に電力を提供するのに適合していることを特徴とする装置。
【請求項１６】
請求項１に記載の装置において、
前記電力回路ボードが、前記ステータ部に含まれ、前記第１のスラスト電磁石と前記対向する第２のスラスト電磁石に電流を供給するのに適合していることを特徴とする装置。
【請求項１７】
請求項１に記載の装置において、
前記第１の環状ヒートシンクが、前記スラスト電磁石の各々から熱を放出するのに適合している第１のヒートシンクを具えることを特徴とする装置。
【請求項１８】
請求項１に記載の装置において、
前記ハウジングに含まれ対向する一対の環状カバープレートであって、いずれか１以上が電力導管をぴったりと覆うのに適合している電力用開口を具えるカバープレートを具えることを特徴とする装置。
【請求項１９】
請求項１に記載の装置において、さらに、
前記ステータ部に含まれる環状スペーサを具え、当該環状スペーサは前記第１のスラスト電磁石と第２のスラスト電磁石間の軸方向の所定間隔を維持するのに適合しており、前記環状スペーサは前記電磁石の１以上にかかる電力用導管および／または前記電磁石の１以上にかかる通信用導管を少なくとも部分的に取り巻く軸方向の開口を規定していることを特徴とする装置。
【請求項２０】
請求項１に記載の装置において、
前記第１のタッチダウン面が前記第１のスラスト電磁石に埋め込まれていることを特徴とする装置。
【請求項２１】
請求項１に記載の装置において、
前記装置がロータを具えることを特徴とする装置。
【請求項２２】
装置であって、
ロータ部と、
ステータ部と、
前記ステータ部および前記ロータ部を実質的に取り囲むハウジングとを具える磁力スラストベアリングを具え、
前記ロータ部が、ロータの周囲に取り付けられ当該ロータとともに回転するのに適合したスラストディスクを具え、当該スラストディスクが、スラストディスク第１面とスラストディスク第２面を規定しており、前記第１面は前記第２面と対向し、
前記ステータ部が、
第１のスラスト電磁石および対向する第２のスラスト電磁石であって、前記第１のスラスト電磁石は前記スラストディスク第１面と第１のギャップで隔てられるよう適合し、前記第２のスラスト電磁石は前記スラストディスク第２面から第２のギャップで隔てられるよう適合しているスラスト電磁石と、
前記電磁石のそれぞれに電力を提供すべく複数の電力トランジスタにスイッチング信号を提供するのに適合している環状電力回路ボードと、
前記環状電力回路ボードに近接配置され、前記第１のスラスト電磁石と前記電力トランジスタから熱を放出するのに適合している第１の環状ヒートシンクとを具えることを特徴とする装置。
【請求項２３】
請求項２２に記載の装置において、
前記第１のスラスト電磁石と前記対向する第２のスラスト電磁石との間で前記ロータをほぼ中央に位置させるネット力を生成するのに適合している環状プロセッサ回路であって、物理的かつ電気的に前記環状電力回路ボードと隔てられている環状プロセッサ回路ボードを具えることを特徴とする装置。
【請求項２４】
請求項２２に記載の装置において、
前記第１の環状ヒートシンクに搭載された複数の電力トランジスタを具えることを特徴とする装置。
【請求項２５】
請求項２２に記載の装置において、
前記環状電力回路ボードは、前記第１の環状ヒートシンクに搭載された複数の電力トランジスタにスイッチング信号を提供するのに適合していることを特徴とする装置。
【国際調査報告】
2011520410.tif 000011